(57)【要約】【課題】携帯端末装置の利用状況に応じた必要なアプリケーションを容易に起動可能にすること。【解決手段】表示制御装置１００において、表示設定部１０１は、操作部２００へ入力された操作に従って、複数の移動状態のそれぞれに応じた複数の表示設定を作成して設定情報記憶部４００に記憶し、移動状態判定部１０２は、センサ２０によって測定された測定値に基づいて移動状態を判定し、表示制御部１０３は、設定情報記憶部４００に記憶された複数の表示設定のうち、移動状態判定部１０２での判定結果に対応するいずれか１つの表示設定に従ってディスプレイ３００に画面を表示することにより、ディスプレイ３００での画面表示を移動状態に応じて変更する。【選択図】図２
2013196169.tif 000002
【特許請求の範囲】
【請求項１】
アプリケーション起動用の特定の画面を表示可能なディスプレイを備える携帯端末装置に備えられる表示制御装置であって、
前記携帯端末装置の移動状態を判定する判定部と、
前記特定の画面の画面表示を前記移動状態に応じて変更する制御部と、
を具備する表示制御装置。
【請求項２】
前記制御部は、前記携帯端末装置にインストールされている複数のアプリケーションにそれぞれ対応する複数の項目のうち、前記移動状態に応じて変更した一部の項目のみを前記特定の画面に表示する、
請求項１記載の表示制御装置。
【請求項３】
前記一部の項目の数は、前記ディスプレイの一画面に表示可能な前記項目の数以下である、
請求項２記載の表示制御装置。
【請求項４】
前記制御部は、前記特定の画面に表示する複数の項目において強調表示する項目を前記移動状態に応じて変更する、
請求項１記載の表示制御装置。
【請求項５】
前記制御部は、前記強調表示する項目を他の項目より大きく表示する、
請求項４記載の表示制御装置。
【請求項６】
前記制御部は、前記強調表示する項目を他の項目より明るく表示する、
請求項４記載の表示制御装置。
【請求項７】
前記判定部は、前記携帯端末装置の移動速度に基づいて前記移動状態を判定する、
請求項１から６のいずれか１つに記載の表示制御装置。
【請求項８】
前記判定部は、前記携帯端末装置の上下動の量及び回転動の量に基づいて前記移動状態を判定する、
請求項１から６のいずれか１つに記載の表示制御装置。
【請求項９】
請求項１から８のいずれか１つに記載の表示制御装置を備える携帯端末装置。
【請求項１０】
アプリケーション起動用の特定の画面を表示可能なディスプレイの表示制御方法であって、
前記ディスプレイを備える携帯端末装置の移動状態を判定し、
前記特定の画面の画面表示を前記移動状態に応じて変更する、
表示制御方法。
【請求項１１】
アプリケーション起動用の特定の画面を表示可能なディスプレイの表示を制御するプログラムであって、
前記ディスプレイを備える携帯端末装置の移動状態を判定し、
前記特定の画面の画面表示を前記移動状態に応じて変更する、
処理をプロセッサに実行させるプログラム。
【発明の詳細な説明】
【技術分野】
【０００１】
本発明は、表示制御装置、表示制御方法及び表示制御プログラムに関する。
【背景技術】
【０００２】
従来、携帯電話等の携帯端末装置の利用者は、一覧画面に表示された複数のショートカットのうち所望のアプリケーションに対応するショートカット（所望のショートカット）を選択することにより、所望のアプリケーションを起動させる。しかし、携帯端末装置が備えるディスプレイの大きさは小さく、一画面に同時に表示可能なショートカットの数は最大でも２０個程度に過ぎない。よって、携帯端末装置に大量のアプリケーションがインストールされている場合には、利用者が所望のショートカットを見つけるには、複数の画面をスクロール表示させることになり手間がかかる。
【０００３】
このような手間を省いてメニュー画面の利用のし易さを改善するために、例えば、複数のメニュー項目が表示されるメニュー画面において、各メニューの使用頻度に応じて各メニュー項目の表示態様を変化させる端末装置がある。
【先行技術文献】
【特許文献】
【０００４】
【特許文献１】特開２００４−１７８３６３号公報
【特許文献２】特開２００３−１０１６２９号公報
【特許文献３】特開２０１１−１３９３０１号公報
【発明の概要】
【発明が解決しようとする課題】
【０００５】
ここで、同一のメニューであってもその使用頻度は携帯端末装置が利用される状況ごとに異なる。例えば、利用者が歩行中に使用する頻度が高いメニューと、利用者が電車に乗車中に使用する頻度が高いメニューとは異なる。よって、単に各メニューの使用頻度に応じて各メニュー項目の表示態様を変化させても、必ずしも利用者が利用し易いメニュー構成にはならない。
【０００６】
開示の技術は、上記に鑑みてなされたものであって、携帯端末装置の利用状況に応じた必要なアプリケーションを容易に起動可能にすることを目的とする。
【課題を解決するための手段】
【０００７】
本願の開示する表示制御装置は、一態様において、アプリケーション起動用の特定の画面を表示可能なディスプレイを備える携帯端末装置に備えられる表示制御装置であって、前記携帯端末装置の移動状態を判定する判定部と、前記特定の画面の画面表示を前記移動状態に応じて変更する制御部と、を具備する。
【０００８】
また、本願の開示する表示制御方法は、一態様において、アプリケーション起動用の特定の画面を表示可能なディスプレイの表示制御方法であって、前記ディスプレイを備える携帯端末装置の移動状態を判定し、前記特定の画面の画面表示を前記移動状態に応じて変更する。
【０００９】
また、本願の開示する表示制御プログラムは、一態様において、アプリケーション起動用の特定の画面を表示可能なディスプレイの表示を制御するプログラムであって、前記ディスプレイを備える携帯端末装置の移動状態を判定するステップと、前記特定の画面の画面表示を前記移動状態に応じて変更するステップと、をプロセッサに実行させる。
【発明の効果】
【００１０】
本願の開示する表示制御装置、表示制御方法及び表示制御プログラムの上記態様によれば、携帯端末装置の利用状況に応じた必要なアプリケーションを容易に起動可能にすることができる。
【図面の簡単な説明】
【００１１】
【図１】図１は、実施の形態１に係る携帯端末装置の構成例を示すブロック図である。
【図２】図２は、実施の形態１に係る表示制御装置の構成例を示すブロック図である。
【図３】図３は、実施の形態１におけるショートカットテーブルの説明に供する図である。
【図４】図４は、実施の形態１における表示設定部の処理の説明に供する図である。
【図５】図５は、実施の形態１における移動状態判定部の処理の説明に供する図である。
【図６】図６は、実施の形態１における表示制御部の処理の説明に供する図である。
【図７】図７は、実施の形態１における移動状態判定部の動作の説明に供するフローチャートである。
【図８】図８は、実施の形態１における表示制御部の動作の説明に供するフローチャートである。
【図９】図９は、実施の形態１における表示制御部の動作の説明に供するフローチャートである。
【図１０】図１０は、実施の形態１における移動状態判定部の処理の説明に供する図である。
【図１１】図１１は、実施の形態２における表示設定部の処理の説明に供する図である。
【図１２】図１２は、実施の形態２における表示制御部の処理の説明に供する図である。
【発明を実施するための形態】
【００１２】
以下に、本願の開示する表示制御装置、表示制御方法及び表示制御プログラムの実施形態を図面に基づいて詳細に説明する。なお、この実施形態により本願の開示する表示制御装置、表示制御方法及び表示制御プログラムが限定されるものではない。また、実施形態において同一の機能を有する構成には同一の符号を付し、重複する説明は省略される。
【００１３】
［実施の形態１］
＜携帯端末装置１０の構成＞
図１は、本実施の形態に係る携帯端末装置１０の構成例を示すブロック図である。図１において、携帯端末装置１０は、アンテナ１１と、無線部１２と、ＤＳＰ（Digital  Signal  Processor）１３と、マイク１４と、スピーカ１５と、ＣＰＵ（Central  Processing  Unit）１６と、タッチパネル１７と、ＬＣＤ（Liquid  Crystal  Display）１８と、メモリ１９と、センサ２０とを有する。センサ２０は、加速度センサ及びジャイロセンサの双方、または、加速度センサのみを含む。
【００１４】
＜表示制御装置１００の構成＞
図２は、本実施の形態に係る表示制御装置１００の構成例を示すブロック図である。図２において、表示制御装置１００は、表示設定部１０１と、移動状態判定部１０２と、表示制御部１０３とを有する。
【００１５】
ここで、図２の表示制御装置１００は、図１のＣＰＵ１６に対応する。また、図２の操作部２００は、図１のタッチパネル１７に対応する。また、図２のディスプレイ３００は、図１のＬＣＤ１８に対応し、アプリケーション起動用の特定の画面を表示可能なものである。また、図２の設定情報記憶部４００は、図１のメモリ１９に対応する。つまり、表示制御装置１００は、アプリケーション起動用の特定の画面を表示可能なディスプレイ３００を備える携帯端末装置１０に備えられるものである。
【００１６】
表示設定部１０１は、操作部２００へ入力された操作に従って、携帯端末装置１０の複数の移動状態のそれぞれに応じた複数の表示設定を作成して設定情報記憶部４００に記憶する。
【００１７】
移動状態判定部１０２は、センサ２０によって測定された測定値に基づいて、携帯端末装置１０の移動状態を判定し、判定結果を表示制御部１０３へ通知する。
【００１８】
表示制御部１０３は、操作部２００へ入力された操作に従った画面をディスプレイ３００に表示する。また、表示制御部１０３は、設定情報記憶部４００に記憶された複数の表示設定のうち、移動状態判定部１０２での判定結果に対応するいずれか１つの表示設定に従ってディスプレイ３００に画面を表示する。つまり、表示制御部１０３は、移動状態判定部１０２で判定された、携帯端末装置１０の移動状態に応じて、ディスプレイ３００での画面表示を変更する。よって、携帯端末装置１０の移動状態が変化すると、ディスプレイ３００に表示される画面が変更される。
【００１９】
＜表示設定部１０１の処理＞
携帯端末装置１０に複数のアプリケーションがインストールされている場合には、例えば図３に示すようなショートカットテーブルが設定情報記憶部４００に記憶されている。このショートカットテーブルでは、図３に示すように、各ショートカットと各アプリケーションとが一対一で対応付けられている。図３に示す例では、「電話」はショートカット１に、「ブラウザ」はショートカット２に、「メール」はショートカット３に、「音楽」はショートカット４に、…、「乗換案内」はショートカット１１に、…、「地図」はショートカット２５にそれぞれ対応付けられている。
【００２０】
携帯端末装置１０の利用者は、互いに異なる移動状態ごとに、一画面のどの位置にどのショートカットを表示させるかを、操作部２００を用いて予め設定する。例えば、複数の移動状態として「静止中」、「歩行中」、「乗車中」の３つの状態をとることが可能な場合には、携帯端末装置１０の利用者は、図４に示すような複数の表示設定を行うことが可能である。すなわち、携帯端末装置１０の利用者は、移動状態が「静止中」に対応する「表示設定１」として、表示位置１にショートカット１を、表示位置２にショートカット２を、表示位置３にショートカット３を、…、表示位置１６にショートカット４を表示させる表示設定を行うことが可能である。また、携帯端末装置１０の利用者は、移動状態が「歩行中」に対応する「表示設定２」として、表示位置１にショートカット１を、表示位置２にショートカット２５を、表示位置３にショートカット３を表示させる表示設定を行うことが可能である。また、携帯端末装置１０の利用者は、移動状態が「乗車中」に対応する「表示設定３」として、表示位置１にショートカット１１を、表示位置２にショートカット２を、表示位置３にショートカット３を表示させる表示設定を行うことが可能である。そして、これらの表示設定１〜３が、設定情報記憶部４００に記憶される。
【００２１】
なお、１つの移動状態に対して設定可能なショートカットの数は、ディスプレイ３００の一画面に同時に表示可能なショートカットの数以下であることが好ましい。すなわち、図４は、ディスプレイ３００が最大１６個のショートカットを一画面に同時に表示可能な場合の例である。
【００２２】
＜移動状態判定部１０２の処理＞
センサ２０が加速度センサ及びジャイロセンサの双方を含む場合、加速度センサの測定値として携帯端末装置１０の上下動の量を示す値、及び、ジャイロセンサの測定値として携帯端末装置１０の回転動の量を示す値が移動状態判定部１０２に入力される。移動状態判定部１０２は、加速度センサにより測定された携帯端末装置１０の上下動の量、及び、ジャイロセンサにより測定された携帯端末装置１０の回転動の量に基づいて、携帯端末装置１０の移動状態（すなわち、携帯端末装置１０を所持する利用者の移動状態）を判定する。
【００２３】
例えば、移動状態判定部１０２は、図５に示すようにして携帯端末装置１０の移動状態を判定する。すなわち、移動状態判定部１０２は、上下動の量が閾値未満の場合には、回転動の量にかからず、移動状態を「静止中」と判定する。また、移動状態判定部１０２は、上下動の量が閾値以上で、かつ、回転動の量が閾値未満の場合には、移動状態を「乗車中」と判定する。また、移動状態判定部１０２は、上下動の量が閾値以上で、かつ、回転動の量が閾値以上の場合には、移動状態を「歩行中」と判定する。
【００２４】
＜表示制御部１０３の処理＞
表示制御部１０３は、アプリケーション起動用の特定の画面の表示を指示する操作が操作部２００へ入力された場合に、設定情報記憶部４００を参照し、図３に示すショートカットテーブル及び図４に示す表示設定に基づいて、ディスプレイ３００に特定の画面を表示する。この特定の画面は、例えば、携帯端末装置１０にインストールされているアプリケーションに対応付けられたショートカットを表示する待受画面またはホーム画面等である。携帯端末装置１０の利用者は、この特定の画面に表示されたショートカットのうち所望のショートカットを選択することにより、所望のアプリケーションを起動させることができる。以下、この「特定の画面」を「アプリケーション起動用画面」と呼ぶ。
【００２５】
表示制御部１０３は、そのアプリケーション起動用画面での表示を、図６に示すように、携帯端末装置１０の移動状態に応じて変更する。すなわち、表示制御部１０３は、移動状態判定部１０２での判定結果が「静止中」である場合は、図４の「表示設定１」に従って、図６（ａ）に示すように、表示位置１にＳＣ（ショートカット）１（電話）、表示位置２にＳＣ２（ブラウザ）、表示位置３にＳＣ３（メール）、…、表示位置１６にＳＣ４（音楽）を表示する。また、表示制御部１０３は、移動状態判定部１０２での判定結果が「歩行中」である場合は、図４の「表示設定２」に従って、図６（ｂ）に示すように、表示位置１にＳＣ１（電話）、表示位置２にＳＣ２５（地図）、表示位置３にＳＣ３（メール）…を表示する。また、表示制御部１０３は、移動状態判定部１０２での判定結果が「乗車中」である場合は、図４の「表示設定３」に従って、図６（ｃ）に示すように、表示位置１にＳＣ１１（乗換案内）、表示位置２にＳＣ２（ブラウザ）、表示位置３にＳＣ３（メール）…を表示する。このように、表示制御部１０３は、ショートカットテーブル（図３）に登録されている複数ショートカットのうち、携帯端末装置１０の移動状態に応じて変更した一部のショートカットのみをアプリケーション起動用画面に表示する。
【００２６】
＜移動状態判定部１０２の動作＞
図７は、本実施の形態における移動状態判定部１０２の動作の説明に供するフローチャートである。
【００２７】
図７において、まず移動状態判定部１０２は、バッファ（図示せず）をクリアして、タイマ（図示せず）をスタートする（ステップＳ７０１）。
【００２８】
次いで、移動状態判定部１０２は、センサ２０での測定値をタイマが満了するまでバッファに逐次蓄積する（ステップＳ７０２，ステップＳ７０３：Ｎｏ）。
【００２９】
タイマが満了すると（ステップＳ７０３：Ｙｅｓ）、移動状態判定部１０２は、バッファに蓄積された複数の測定値の、タイマに設定された時間における平均値を算出する（ステップＳ７０４）。
【００３０】
次いで、移動状態判定部１０２は、測定値の平均値に基づいて、上記図５に示すようにして、携帯端末装置１０の移動状態を判定する（ステップＳ７０５）。
【００３１】
そして、移動状態判定部１０２は、判定結果を表示制御部１０３に通知する（ステップＳ７０６）。
【００３２】
＜表示制御部１０３の動作＞
図８及び図９は、本実施の形態における表示制御部１０３の動作の説明に供するフローチャートである。
【００３３】
図８において、表示制御部１０３は、移動状態判定部１０２から判定結果を受信すると（ステップＳ８０１：Ｙｅｓ）、移動状態が変化したか否か判断する（ステップＳ８０２）。
【００３４】
判定結果が受信されない場合（ステップＳ８０１：Ｎｏ）、または、移動状態が変化していない場合は（ステップＳ８０２：Ｎｏ）、表示制御部１０３の処理は終了する。
【００３５】
一方、移動状態が変化した場合は（ステップＳ８０２：Ｙｅｓ）、表示制御部１０３は、画面表示を変更する（ステップＳ８０３）。画面表示の変更の処理フローを図９に示す。
【００３６】
図９において、移動状態判定部１０２での判定結果が「歩行中」である場合は（ステップＳ９０１：Ｙｅｓ）、表示制御部１０３は、設定情報記憶部４００に「歩行中」の表示設定（図４の「表示設定２」）が存在するか否か確認する（ステップＳ９０２）。
【００３７】
設定情報記憶部４００に「歩行中」の表示設定が存在する場合は（ステップＳ９０２：Ｙｅｓ）、表示制御部１０３は、その表示設定に従って、アプリケーション起動用画面での表示を歩行中画面に変更する（ステップＳ９０３，図６（ｂ））。
【００３８】
移動状態判定部１０２での判定結果が「歩行中」でなく、かつ、「乗車中」である場合は（ステップＳ９０１：Ｎｏ，ステップＳ９０４：Ｙｅｓ）、表示制御部１０３は、設定情報記憶部４００に「乗車中」の表示設定（図４の「表示設定３」）が存在するか否か確認する（ステップＳ９０５）。
【００３９】
設定情報記憶部４００に「乗車中」の表示設定が存在する場合は（ステップＳ９０５：Ｙｅｓ）、表示制御部１０３は、その表示設定に従って、アプリケーション起動用画面での表示を乗車中画面に変更する（ステップＳ９０６，図６（ｃ））。
【００４０】
一方、移動状態判定部１０２での判定結果が「歩行中」及び「乗車中」のいずれでもない場合（ステップＳ９０１：Ｎｏ，ステップＳ９０４：Ｎｏ）、設定情報記憶部４００に「歩行中」の表示設定が存在しない場合（ステップＳ９０２：Ｎｏ）、または、設定情報記憶部４００に「乗車中」の表示設定が存在しない場合は（ステップＳ９０５：Ｎｏ）、表示制御部１０３は、設定情報記憶部４００に記憶された「静止中」の表示設定（図４の「表示設定１」）に従って、アプリケーション起動用画面での表示を静止中画面に変更する（ステップＳ９０７，図６（ａ））。ここで、「静止中」の表示設定は設定情報記憶部４００に必ず記憶されているものとする。
【００４１】
ステップＳ９０３，ステップＳ９０６またはステップＳ９０７の処理の後、図８のステップＳ８０３に戻る。
【００４２】
なお、上記説明では、携帯端末装置１０の移動状態として「静止中」、「歩行中」または「乗車中」の３つの状態を定義したが、携帯端末装置１０がとり得る移動状態は３つの状態に限定されない。例えば、携帯端末装置１０の移動状態として「静止中」または「移動中」の２つの状態を定義してもよい。この場合、センサ２０は加速度センサのみを含み、加速度センサの測定値として携帯端末装置１０の移動速度を示す値が移動状態判定部１０２に入力される。移動状態判定部１０２は、加速度センサにより測定された携帯端末装置１０の移動速度に基づいて、図１０に示すようにして、携帯端末装置１０の移動状態を判定する。すなわち、移動状態判定部１０２は、移動速度が閾値未満の場合には移動状態を「静止中」と判定し、移動速度が閾値以上の場合には移動状態を「移動中」と判定する。
【００４３】
そして、表示制御部１０３は、上記同様にして、移動状態が「静止中」である場合は図６（ａ）に示す画面を表示し、移動状態が「移動中」である場合は図６（ｂ）または図６（ｃ）に示す画面を表示する。
【００４４】
また、携帯端末装置１０はＧＰＳ（Global  Positioning  System）受信機を備えるものであることが多い。そこで、移動状態判定部１０２は、ＧＰＳ機能によって取得可能な位置情報から算出可能な移動速度に基づいて携帯端末装置１０の移動状態を判定してもよい。よって、ＧＰＳ受信機を備える携帯端末装置１０では、移動速度の取得にあたり、センサ２０を備える必要がない。
【００４５】
以上のように本実施の形態によれば、アプリケーション起動用画面を表示可能なディスプレイ３００を備える携帯端末装置１０に備えられる表示制御装置１００において、移動動状態判定部１０２は、携帯端末装置１０の移動状態を判定し、表示制御部１０３は、判定された移動状態に応じて、アプリケーション起動用画面の画面表示を変更する。つまり、表示制御部１０３は、アプリケーション起動用画面に表示されるショートカットを携帯端末装置１０の移動状態に応じて変更する（図６（ａ），（ｂ），（ｃ））。これにより、各移動状態に従って適切なショートカットをアプリケーション起動用画面に表示することができるため、携帯端末装置１０の利用者は、利用状況に応じた必要なアプリケーションを容易に起動可能になる。
【００４６】
また、本実施の形態によれば、表示制御部１０３は、携帯端末装置１０にインストールされている複数のアプリケーションにそれぞれ対応する複数のショートカットのうち、移動状態に応じて変更した一部のショートカットのみを表示できる。よって、本実施の形態によれば、利用者が所望のショートカットを見つける際の画面スクロールの回数を減少させて、利用者の手間を軽減することができる。特に、１つの移動状態に対して設定可能なショートカットの数をディスプレイ３００の一画面に表示可能なショートカットの数以下とすることにより、利用者が所望のショートカットを見つける際の画面スクロールが不要となるため、利用者の手間をさらに軽減することができる。
【００４７】
[実施の形態２]
実施の形態１では、アプリケーション起動用画面に表示されるショートカット自体を移動状態に応じて変更するのに対し、本実施の形態では、アプリケーション起動用画面に表示される複数のショートカットのうち強調表示するショートカットを移動状態に応じて変更する。
【００４８】
すなわち、本実施の形態の表示制御部１０３は、移動状態が変化しても、アプリケーション起動用画面に表示されるショートカット自体は変更しない。一方で、本実施の形態の表示制御部１０３は、強調表示するショートカットを移動状態に応じて変更する。
【００４９】
＜表示設定部１０１の処理＞
設定情報記憶部４００には、実施の形態１同様、図３に示すようなショートカットテーブルが記憶されている。
【００５０】
携帯端末装置１０の利用者は、互いに異なる移動状態ごとに、どのショートカットを強調表示させるかを、操作部２００を用いて予め設定する。例えば、複数の移動状態として「静止中」、「歩行中」、「乗車中」の３つの状態をとることが可能な場合には、携帯端末装置１０の利用者は、図１１に示すような複数の表示設定を行うことが可能である。すなわち、携帯端末装置１０の利用者は、移動状態が「静止中」に対応する「表示設定１」として、ショートカット１及びショートカット２を、その他のショートカットより強調して表示させる表示設定を行うことが可能である。また、携帯端末装置１０の利用者は、移動状態が「歩行中」に対応する「表示設定２」として、ショートカット２５を、その他のショートカットより強調して表示させる表示設定を行うことが可能である。また、携帯端末装置１０の利用者は、移動状態が「乗車中」に対応する「表示設定３」として、ショートカット１１を、その他のショートカットより強調して表示させる表示設定を行うことが可能である。そして、これらの表示設定１〜３が、設定情報記憶部４００に記憶される。
【００５１】
＜表示制御部１０３の処理＞
表示制御部１０３は、例えば図１２（ａ），（ｂ），（ｃ）に示すように、アプリケーション起動用画面に、移動状態にかかわらず、ＳＣ１，ＳＣ２，ＳＣ３，ＳＣ４，ＳＣ２５，ＳＣ１１の６個のショートカットを表示する。一方で、表示制御部１０３は、移動状態判定部１０２での判定結果が「静止中」である場合は、図１２（ａ）に示すように、ＳＣ１及びＳＣ２を他のショートカットより強調して表示するために大きく表示する。また、表示制御部１０３は、移動状態判定部１０２での判定結果が「歩行中」である場合は、図１２（ｂ）に示すように、ＳＣ２５を他のショートカットより強調して表示するために大きく表示する。また、表示制御部１０３は、移動状態判定部１０２での判定結果が「乗車中」である場合は、図１２（ｃ）に示すように、ＳＣ１１を他のショートカットより強調して表示するために大きく表示する。このように、本実施の形態の表示制御部１０３は、大きく表示するショートカットを移動状態に応じて変更することにより、強調表示するショートカットを変更する。
【００５２】
なお、強調表示の方法は表示の大きさによるものに限定されない。例えば、表示の明るさにより強調表示を行ってもよい。すなわち、表示制御部１０３は、強調表示するショートカットを他のショートカットより明るく表示し、明るく表示するショートカットを移動状態に応じて変更してもよい。
【００５３】
以上のように本実施の形態によれば、表示制御部１０３は、アプリケーション起動用画面に表示する複数のショートカットにおいて強調表示するショートカットを携帯端末装置１０の移動状態に応じて変更する。これにより、各移動状態に従って適切なショートカットを強調表示することができるため、携帯端末装置１０の利用者は、利用状況に応じた必要なアプリケーションを容易に起動可能になる。
【００５４】
以上、本発明の実施の形態について説明した。
【００５５】
なお、本発明では、移動状態に応じて表示変更可能な項目はショートカットに限定されない。本発明は、ショートカットだけでなく、メニュー項目等、携帯端末装置１０が画面表示可能なすべての項目に適用可能である。
【００５６】
また、表示制御装置１００と同様の機能を有する表示制御プログラムをメモリ１９に予め記憶しておき、ＣＰＵ１６が、表示制御プログラムをメモリ１９から読み出して実行することによっても、本発明を実施可能である。この場合、ＣＰＵ１６は、表示制御装置１００と同様の処理を行うこととなる。また、表示制御プログラムは、必ずしも予めメモリ１９に記憶される必要はない。すなわち、例えば、携帯端末装置１０に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に表示制御プログラムを記憶しておき、ＣＰＵ１６がこれらから表示制御プログラムを読み出して実行するようにしてもよい。また例えば、インターネット、ＬＡＮ、ＷＡＮ等を介して無線または有線により携帯端末装置１０に接続されるコンピュータまたはサーバ等に表示制御プログラムを記憶しておき、ＣＰＵ１６がこれらから表示制御プログラムを読み出して実行するようにしてもよい。
【符号の説明】
【００５７】
１０  携帯端末装置
１６  ＣＰＵ
１７  タッチパネル
１８  ＬＣＤ
１９  メモリ
２０  センサ
１００  表示制御装置
１０１  表示設定部
１０２  移動状態判定部
１０３  表示制御部
２００  操作部
３００  ディスプレイ
４００  設定情報記憶部
【図１】
2013196169.tif 000003
【図２】
2013196169.tif 000004
【図３】
2013196169.tif 000005
【図４】
2013196169.tif 000006
【図５】
2013196169.tif 000007
【図６】
2013196169.tif 000008
【図７】
2013196169.tif 000009
【図８】
2013196169.tif 000010
【図９】
2013196169.tif 000011
【図１０】
2013196169.tif 000012
【図１１】
2013196169.tif 000013
【図１２】
2013196169.tif 000014